(57)【特許請求の範囲】
【請求項１】
炊飯器本体と、前記炊飯器本体の上方に位置する蓋体とを有する炊飯器であって、
前記炊飯器本体は、内鍋と、前記内鍋を加熱する加熱手段と、前記加熱手段を制御する制御手段を有し、
前記蓋体は、操作基板が収納される前記蓋体とは別体の操作部を有し、
前記蓋体は、接続配線用の第１貫通孔を有し、
前記操作部は、接続配線用の第２貫通孔を有し、
前記制御手段と前記操作基板は、前記第１貫通孔と前記第２貫通孔を通る接続配線により電気的に接続され、
前記第１貫通孔と前記第２貫通孔は、シール部材で密閉され、
前記シール部材は、前記蓋体と前記操作部で挟持され、前記第１貫通孔と前記第２貫通孔を密閉することを特徴とする炊飯器。
【請求項２】
炊飯器本体と、前記炊飯器本体の上方に位置する蓋体とを有する炊飯器であって、
前記炊飯器本体は、内鍋と、前記内鍋を加熱する加熱手段と、前記加熱手段を制御する制御手段を有し、
前記蓋体は、操作基板が収納される前記蓋体とは別体の操作部を有し、
前記蓋体は、接続配線用の第１貫通孔を有し、
前記操作部は、接続配線用の第２貫通孔を有し、
前記制御手段と前記操作基板は、前記第１貫通孔と前記第２貫通孔を通る接続配線により電気的に接続され、
前記第１貫通孔と前記第２貫通孔は、シール部材で密閉され、
前記シール部材は、１個で、前記第１貫通孔と前記第２貫通孔を同時に密閉することを特徴とする炊飯器。
【発明の詳細な説明】
【技術分野】
【０００１】
本発明は、特に蓋体に、蓋体とは別体の操作部を設けた炊飯器に関するものである。
【背景技術】
【０００２】
一般に炊飯器は、誘導コイル、保温ヒータ及び蓋ヒータ等の複数個の加熱手段を有し、これら加熱手段を駆使して自動的に炊飯及び保温を行いユーザーに最適なご飯等を提供する器具として広く知られている。
【０００３】
そして、近時、炊飯器の蓋体に操作基板を設けたものが生産されている。このようなものは、蓋体の前方側の面に操作部を設け、操作部に操作基板を配置し、操作基板に表示器、マイコン、スイッチ及び電池等を設けてなる。
【０００４】
蓋体に操作基板を設けるものは、操作基板等に蒸気が浸入しないように蓋体に密閉空間を形成し、その空間内に操作基板等を配置している。そのようなものとして図８に示すものが知られている。図に示す炊飯器は、蓋体１と炊飯器本体２を有し、蓋体１の前方側（ヒンジ機構と反対側）の上面に下方に窪んだ凹部空間３を設け、この凹部空間３内に樹脂製の操作部４を着脱自在に設けている。
【０００５】
この操作部４は、その内部に密閉空間５を形成し、底部に取付けられる鉄板を、前記凹部空間３の上面に設ける磁石６に吸着することにより前記凹部空間３内に着脱自在に取付けられる。そして、前記凹部空間３内には、操作基板７、表示器８、表示灯としてのＬＥＤ９、操作ボタン１０及び電池１１等が設けられる。
【０００６】
また、肩部材１２の上面には、上方に向けて光学的信号伝達手段である第１カプラ１３が設けられるとともに、前記凹部空間３内には、前記第１カプラ１３に対向する箇所に下方に向けて同じく光学的信号伝達手段である第２カプラ１４が設けられ、前記第１カプラ１３と前記第２カプラ１４との間で間接的に情報を伝達する。
【０００７】
前記炊飯器本体２内には、内鍋１５及び制御装置１６が設けられる。制御装置１６は、前記第１カプラ１３とリード線により電気的に接続されており、この制御装置１６と前記操作基板７に設けるマイコンとの間で第１カプラ１３と第２カプラ１４とを介して間接的に情報の受け渡しが行われる（例えば、特許文献１参照）。
【０００８】
上記従来のものは、操作基板７等が一体の操作部４に形成されるため、蒸気により操作基板７等が悪影響を受けることはない。しかしながら、上記従来のものは、第１カプラ１３及び第２カプラ１４の光学的な情報伝達手段を用いているため、それだけコスト高になるとともに、両カプラ１３、１４等を取り付けるための工程も必要になり、生産コストが高騰するという問題を有している。
【０００９】
また、従来のものは、蓋ヒータを設けていないが、蓋体に蓋ヒータを設けた場合、操作基板に対する熱影響を低減することができないという問題も有していた。
【先行技術文献】
【特許文献】
【００１０】
【特許文献１】特許第２６２７０２８号公報
【発明の概要】
【発明が解決しようとする課題】
【００１１】
本発明の目的は、蒸気による操作基板等への悪影響を防止するとともに、生産コストを低減し、且つ蓋ヒータの熱による操作基板への悪影響をも低減することができる炊飯器を提供することである。
【課題を解決するための手段】
【００１２】
前記目的を達成するため、本発明は以下の構成を採用する。
【００１３】
請求項１に係る発明では、炊飯器本体と、前記炊飯器本体の上方に位置する蓋体とを有する炊飯器であって、前記炊飯器本体は、内鍋と、前記内鍋を加熱する加熱手段と、前記加熱手段を制御する制御手段を有し、前記蓋体は、操作基板が収納される前記蓋体とは別体の操作部を有し、前記蓋体は、接続配線用の第１貫通孔を有し、前記操作部は、接続配線用の第２貫通孔を有し、前記制御手段と前記操作基板は、前記第１貫通孔と前記第２貫通孔を通る接続配線により電気的に接続され、前記第１貫通孔と前記第２貫通孔は、シール部材で密閉され、前記シール部材は、前記蓋体と前記操作部で挟持され、前記第１貫通孔と前記第２貫通孔を密閉する構成。
【００１４】
請求項２に係る発明では、炊飯器本体と、前記炊飯器本体の上方に位置する蓋体とを有する炊飯器であって、前記炊飯器本体は、内鍋と、前記内鍋を加熱する加熱手段と、前記加熱手段を制御する制御手段を有し、前記蓋体は、操作基板が収納される前記蓋体とは別体の操作部を有し、前記蓋体は、接続配線用の第１貫通孔を有し、前記操作部は、接続配線用の第２貫通孔を有し、前記制御手段と前記操作基板は、前記第１貫通孔と前記第２貫通孔を通る接続配線により電気的に接続され、前記第１貫通孔と前記第２貫通孔は、シール部材で密閉され、前記シール部材は、１個で、前記第１貫通孔と前記第２貫通孔を同時に密閉する構成。
【００１７】
そしてこれらの構成により、蒸気による操作基板等への悪影響を防止するとともに、生産コストを低減し、且つ蓋ヒータの熱による操作基板への悪影響をも低減することができる。
【発明の効果】
【００１８】
請求項１に係る発明は、蓋体に、操作基板が収納される蓋体とは別体の操作部を設け、蓋体と操作部にはそれぞれ接続配線用の第１及び第２貫通孔を設け、制御手段と操作基板を蓋体の第１貫通孔と操作部の第２貫通孔を通る接続配線により電気的に接続し、両貫通孔をシール部材で密閉することにより、操作部内への蒸気の浸入を防止することができるとともに、蒸気による操作基板等への悪影響を防止することができる。また、制御手段と操作基板を接続配線で電気的に接続するとの簡易な接続構造ですむため、従来のものに比べて生産コストを低減することができる。
また、シール部材を、蓋体と操作部で挟持して蓋体の第１貫通孔と操作部の第２貫通孔を密閉することにより、請求項１の発明の効果に加え、シール構造を簡略化することができるとともに、シール機能をより高めることができる。
【００２０】
請求項２に係る発明は、前記シール部材は、１個で、蓋体の第１貫通孔と操作部の第２貫通孔を同時に密閉することにより、請求項１の発明の効果に加え、シール部材の構造をより簡略化することができる。
【図面の簡単な説明】
【００２２】
【図１】炊飯器の全体断面図
【図２】図１の操作部近傍の拡大断面図
【図３】基板ボックスを蓋体に組み立てる前の斜視図
【図４】操作パネルの斜視図
【図５】シール部材の斜視図
【図６】シール部材を挟持する前の図３のＡ−Ａ部断面図
【図７】シール部材を挟持した後の図３のＡ−Ａ部断面図
【図８】従来の操作部近傍の拡大断面図
【実施例】
【００２３】
図１は炊飯器の全体縦断面図を示し、図２は図１の操作部近傍の拡大断面図を示し、図３は基板ボックスを蓋体に組み立てる前の斜視図を示し、図４、図５は操作パネル及びシール部材の斜視図を示し、図６、図７はシール部材を挟持する前後の断面図を示す。なお、炊飯器２０のヒンジ機構５０側を後方とし、ヒンジ機構５０の反対側を前方とする。
【００２４】
炊飯器２０の全体を図１に示す。炊飯器２０は、炊飯器本体２１及び蓋体４０からなる。炊飯器本体２１は、鋼板ケースまたは合成樹脂製の一体成形品からなる外ケース２２を有し、この外ケース２２の内部には、金属鍋或いは土鍋等の内鍋２３が着脱自在にセットされるとともに、この内鍋２３の外側には当該内鍋２３の形状に沿った保護枠である内ケース２４が設けられる。この内ケース２４は、例えばポリエチレンテレフタレート等の耐熱性の合成樹脂製のもので、その底部中央にはサーミスタからなるセンターセンサ２５を臨ませるためのセンサ挿入孔が設けられる。
【００２５】
内ケース２４の上端は、外ケース２２の上端と肩部材２６を介して一体的に結合される。内ケース２４の底部外面及び底部から側部にかけての湾曲部外面には、内鍋２３を誘導加熱する加熱手段である底部ワークコイル２７及び側部ワークコイル２８が設けられる。これら底部ワークコイル２７及び側部ワークコイル２８は、内ケース２４の底部及び湾曲部の各位置に、内ケース２４の底部中央を中心として同心円状にそれぞれ設けられる。
【００２６】
これら底部ワークコイル２７及び側部ワークコイル２８の外側には合成樹脂製のコイル支持台２９が設けられており、このコイル支持台２９がネジ等で内ケース２４に取り付けられることにより、底部ワークコイル２７及び側部ワークコイル２８は図示する所定位置に位置決め固定される。また、内ケース２４の上部の外周側部には、保温ヒータ３０が設けられる。
【００２７】
前記外ケース２２の下端部には、皿状の底部材３１がビス等で取り付けられ、外ケース２２と底部材３１とで上方に開口を有する容器を形成する。外ケース２２の後方の内部には、肩部材２６から垂下する形態で、制御基板３２が設けられる。
【００２８】
この制御基板３２には、底部ワークコイル２７、側部ワークコイル２８、保温ヒータ３０及び後記する蓋ヒータ４５からなる加熱手段を制御するための制御手段であるマイコン及び電源回路等の電気部品が搭載される。それら電気部品のなかには発熱するものがあるため、制御基板３２の近傍には発熱素子等を冷却するための冷却フィン３３と、冷却フィン３３の熱を放熱するための冷却ファン３４が設けられる。なお、制御基板３２の後方側にはコード巻取器３５が設けられる。
【００２９】
また、前記外ケース２２の前方側には、押圧部３６ａ及び係止部３６ｂを有するロック機構３６が設けられ、押圧部３６ａを水平に押すことにより、係止部３６ｂが蓋体４０との係合を解除する。
【００３０】
前記蓋体４０は、外枠４１及び内枠４２を有する。外枠４１は外周面を形成する樹脂製の部材であり、その中央には調圧ユニット４３が設けられる。内枠４２は、外枠４１と同様に樹脂製の略リング状の部材であり、その中央部には金属製の放熱板４４が取り付けられる。そして、放熱板４４の上面には蓋ヒータ４５が設けられ、内鍋２３を上方から加熱する。
【００３１】
前記調圧ユニット４３は、内部に蒸気通路４６及び蒸気弁４７を有し、内部の蒸気圧を調圧するとともに、余分の蒸気を蒸気口４８より外部に放出する。また、放熱板４４の下方には着脱自在に内蓋４９が取り付けられる。
【００３２】
前記蓋体４０の後方部には、該後方部と肩部材２６にかけてヒンジ機構５０が設けられる。このヒンジ機構５０は、、蓋体４０に常時開方向の力を付与するバネ５１等を有し、前記押圧部３６ａが押され、係止部３６ｂが蓋体４０との係合を解除するとバネ５１の力により蓋体４０は開蓋される。
【００３３】
蓋体４０の外枠４１の前方上面には、図３に示すように平面視略矩形状の凹溝部５４が形成される。この凹溝部５４内には、その外端近傍に３個のビス穴５５（図では２個示す。）と、２個の接続配線用の第１貫通孔５６が設けられる。この第１貫通孔５６は、リード線或いは可撓性フラットケーブル（ＦＦＣ）等の接続配線５７の断面形状より若干大きい形状で形成され、図に示すように接続配線５７が上下方向に通される。なお、図の白抜きの矢印は、凹溝部５４の上にシール部材７４が配置され、シール部材７４の上に基板ボックス６１が配置されることを示す。
【００３４】
凹溝部５４の底面５４ａ（外枠４１でもある）には、図３、図６に示すように、下方に窪んだ第１凹嵌部５８が形成され、この第１凹嵌部５８の略中央に第１貫通孔５６が形成される。第１貫通孔５６は、矩形状の大開口５６ａと矩形状の小開口５６ｂからなるさじ形状に形成され、接続配線５７の先端に予め取り付けたコネクタをこの大開口５６ａより通すが、コネクタがなければ同じ大きさの開口にしてもよい。また、第１貫通孔５６は１個でも複数個でもよい。
【００３５】
前記第１凹嵌部５８内には、窪み空間５８ａを有し、この窪み空間５８ａの下面には、前記第１貫通孔５６に連通する第１傾斜部５８ｂが形成される。即ち、前記第１貫通孔５６は、その上部が傾斜し下部が垂直であり、全体では断面さかずき状の形状を有する。
【００３６】
図２に示すように、前記凹溝部５４の底面５４ａと前記放熱板４４の間には、蓋ヒータ断熱材５２及びアルミシート５３が積層配置されるとともに、アルミシート５３の上方には隙間である空気層５３ａが形成され、蓋ヒータ３５の熱が操作部６０内の操作基板６４に伝わる弊害を低減或いは防止する。また、蓋ヒータ断熱材５２、アルミシート５３及び空気層５３ａの上方に操作部６０が設けられる積層構造のため、ご飯の熱が上部へ逃げる弊害をより低減することができる。
【００３７】
前記凹溝部５４内には、操作部６０が配設される。操作部６０は、基板ボックス６１及び操作パネル７０を有する。操作部６０は、図３に示すように平面視略矩形状で上方が開口した樹脂製の皿状部材であり、内部に３個のビスボス６２、２個の接続配線用の第２貫通孔６３及び操作基板６４を支持する複数個の支持片６５が設けられるとともに、その外周側面には９個の係合片６６（図では４個示す。）が設けられる。
【００３８】
前記３個のビスボス６２は、凹溝部５４の底面５４ａに設けられる３個のビス穴５５に対向し、底面５４ａの裏側からビスが螺合され、基板ボックス６１を凹溝部５４内にシール部材７４を挟持した形態で固定する。
【００３９】
前記支持片６５には、操作基板６４が若干前方へ傾斜する形態で取付けられる。そして、操作基板６４には、液晶パネル６７、各種スイッチボタン６８、図示しないマイコン及び電池等が搭載される。なお、操作基板６４は、少なくとも液晶パネル６７及びスイッチボタン６８を搭載するものであればよい。
【００４０】
図３、図６に示すように、基板ボックス６１の底部には、下方に窪んだ第２凹嵌部６１ａが形成され、この第２凹嵌部６１ａの略中央に第２貫通孔６３が形成される。第２貫通孔６３は、前記第１貫通孔５６と同形のさじ形状、即ち、矩形状の大開口６３ａと矩形状の小開口６３ｂからなるさじ形状に形成され、凹溝部５４の底面５４ａに設けられる２個の第１貫通孔５６のそれぞれに対向し、図３に示すように底面５４ａ側から挿入される接続配線５７を基板ボックス６１内に引き込む。そして、引き込まれた接続配線５７の一端は、制御手段である制御基板３２の図示しないコネクタに接続され、他端は操作基板６４の図示しないコネクタに接続され、制御手段である制御基板３２と操作基板６４とは電気的に接続され、情報のやりとりが行われる。
【００４１】
また、図６に示すように、前記第２凹嵌部６１ａの下端面６１ｂには、前記第２貫通孔６３に連通する第２傾斜部６１ｃが形成される。即ち、前記第２貫通孔６３は、その下部が傾斜し、上部が垂直であり、全体で断面が逆さかずき状の形状を有する。
【００４２】
基板ボックス６１の上端には全周に亘って上端溝部６９が形成され、この上端溝部６９にはほぼ同形の図示しないパッキンが挿入され、その上方から操作パネル７０が嵌合される。この操作パネル７０の上面には、１個の透明窓７０ａ及び複数のボタン窓７０ｂ等が設けられ、その側面には９個の係合溝７０ｃ（図では４個示す。）が設けられる。
【００４３】
そして、前記透明窓７０ａは、前記液晶パネル６７に対向して液晶パネル６７による表示の視認を可能にし、前記ボタン窓７０ｂは、前記各種スイッチボタン６８に対向し、各種スイッチボタン６８の押圧を可能にする。各種スイッチボタン６８は、例えば炊飯スイッチ、保温スイッチ、白米、早炊き、無洗米等の各種メニューを設定するメニュースイッチ、時間を設定するタイマースイッチ及び設定を取り消す取消しスイッチ等からなり、炊飯スイッチが入れられると底部ワークコイル２７及び側部ワークコイル２８により誘起される渦電流に起因したジュール熱により内鍋２３が加熱される。
【００４４】
前記９個の係合溝７０ｃは、基板ボックス６１の９個の係合片６６に対向しており、基板ボックス６１の上端溝部６９に図示しないパッキンを載せ、その上方に操作パネル７０を置いて操作パネル７０を下方に押し込む。すると、操作パネル７０の９個の係合溝７０ｃ内に基板ボックス６１の９個の係合片６６が嵌合し、基板ボックス６１内を第２貫通孔６３を除いて密閉する。
【００４５】
図５にシール部材７４の斜視図を示す。シール部材７４はシリコン製で上下対称に一体に形成される。シール部材７４は、その中央に平面視矩形状の中央平板部７５が形成され、中央平板部７５の上面には、一段高く盛り上がり、幅狭部分７６ａと幅広部分７６ｂとを有し、全体として平面視さじ形状の第１段丘部分７６が形成され、更に、第１段丘部分７６の上面には、第１段丘部分７６より小さいが同形、即ち、第１段丘部分７６より一段高く盛り上がり、幅狭部分７７ａと幅広部分７７ｂとを有し、全体として平面視さじ形状の第２段丘部分７７が形成される。そして、中央平板部７５の下面にも、上面のものと同じ形状の第１段丘部分７６及び第２段丘部分７７が形成され、更に、上方の第２段丘部分７７の上端から下方の第２段丘部分７７の下端にかけて平面視細長で矩形状の開口７８が形成される。この開口７８には接続配線５７が通される。
【００４６】
シール部材７４及び操作部６０の取り付けについて図６及び図７により説明する。まず、凹溝部５４の第１凹嵌部５８の窪み空間５８ａ内にシール部材７４を挿入する。シール部材７４の中央平板部７５の平面視の大きさは、窪み空間５８ａの平面視の大きさより小さく、下側の第１段丘部分７６の平面視の大きさは、第１傾斜部５８ｂの略中間部で形成される平面視の大きさと同じで、下側の第２段丘部分７７の平面視の大きさは、第１貫通孔５６の平面視の大きさより若干小さいか、或いは同じである。
【００４７】
そのため、シール部材７４の中央平板部７５は、窪み空間５８ａ内に嵌入し、下側の第１段丘部分７６の角部は、第１傾斜部５８ｂの略中間部に当接し、下側の第２段丘部分７７は、第１貫通孔５６内に略半分ほど嵌入する。その場合、図６に示すように、第１貫通孔５６及びシール部材７４の開口７８に接続配線５７を通しておく。
【００４８】
次いで、シール部材７４の上方から基板ボックス６１を載せる。シール部材７４の中央平板部７５の平面視の大きさは、第２凹嵌部６１ａの下端面６１ｂの平面視の大きさとほぼ同じで、上側の第１段丘部分７６の平面視の大きさは、第２傾斜部６１ｃの略中間部で形成される平面視の大きさと同じで、上側の第２段丘部分７７の平面視の大きさは、第２貫通孔６３の平面視の大きさより若干小さいか、或いは同じである。
【００４９】
そのため、シール部材７４の中央平板部７５は、下端面６１ｂの下方に位置し、上側の第１段丘部分７６の角部は、第１傾斜部５８ｂの略中間部に当接し、上側の第２段丘部分７７は、第２貫通孔６３内に略半分ほど嵌入する。その場合、接続配線５７を第２貫通孔６３に通し、上方に引き出しておく。
【００５０】
その後、基板ボックス６１の上から力を加え、基板ボックス６１を凹溝部５４内に押し込む。すると、シール部材７４の中央平板部７５は、基板ボックス６１の下端面６１ｂと第１凹嵌部５８の窪み空間５８ａの底面とで図６の矢印（１）で示す方向に押圧されて挟持され、シール部材７４の上下の第１段丘部分７６の角部は、第１傾斜部５８ｂと第２傾斜部６１ｃとで、矢印（２）で示す斜め方向に押圧されて挟持される。
【００５１】
第１傾斜部５８ｂと第２傾斜部６１ｃが、シール部材７４の上下の第１段丘部分７６の角部を矢印（２）で示す斜め方向に押圧すると、シール部材７４は、矢印（３）方向である開口７８を閉鎖する方向に押され、その結果、開口７８と接続配線５７との間を密封する。そして、上下の第１段丘部分７６の角部は、第１傾斜部５８ｂ及び第２傾斜部６１ｃに押され、第１傾斜部５８ｂ及び第２傾斜部６１ｃに沿う形状になり、シール部材７４の下側の第２段丘部分７７は、第１貫通孔５６内に嵌入し、上側の第２段丘部分７７は、第２貫通孔６３内に嵌入し、第１貫通孔５６、第２貫通孔６３及び開口７８がシール部材７４により同時に密封され、図７の状態になる。
【００５２】
その後、外枠４１の裏側（図３の外枠４１とは反対側）から３個のビス穴５５内にビスを挿入し、それぞれを基板ボックス６１の３個のビスボス６２に螺合することにより、凹溝部５４に基板ボックス６１を図７の状態で固定する。
【００５３】
その後、基板ボックス６１内に操作基板６４等の必要部品を取り付け、操作基板６４と接続配線５７とをコネクタを介して電気的に接続し、基板ボックス６１の上端溝部６９にパッキンを取り付け、その上方から前記操作パネル７０を取り付ける。操作パネル７０の取り付けは、基板ボックス６１の上方から操作パネル７０を押圧し、操作パネル７０の係合溝７０ｃ内に基板ボックス６１の係合片６６を係合することにより行われ、係合溝７０ｃ内に係合片６６を係合することにより基板ボックス６１内は密封される。
【００５４】
取り付け後において、図７の矢印（４）及び矢印（５）で示すように、水或いは蒸気が操作部６０内に浸入しようとしても、シール部材７４により、第１貫通孔５６、第２貫通孔６３及びシール部材７４の開口７８は密閉されているため、水或いは蒸気が操作部６０内に浸入することはない。
【００５５】
また、操作部６０内は、ゴキブリ等の害虫の好む温度となるため、害虫が操作部６０内に侵入すると誤動作の原因となるので害虫忌避材で対策を施す必要が生じるが、操作部６０を密封することでこのような問題をなくすことができる。
【００５６】
操作部６０内の電池または操作基板６４等の部品交換は、外枠４１の裏側から３本のビスを外し、操作部６０を凹溝部５４から取外し、操作パネル７０の係合溝７０ｃと基板ボックス６１の係合片６６との係合を解除することにより行われる。そのため、従来のように一体型のもので操作部全体を交換する必要があるものに比べ、低価格での交換が可能になる。
【００５７】
上記したように、炊飯器本体２１内の制御基板３２と蓋体４０の操作基板６４とは、接続配線５７で接続する構造であり、生産コストを低減することができる。また、凹溝部５４内に基板ボックス６１を取り付ける際、凹溝部５４と基板ボックス６１とで１個のシール部材７４を挟持することにより、接続配線５７を通す第１貫通孔５６と第２貫通孔６３とシール部材７４の開口７８とを同時に密封することができるため、部品点数並びに生産工程が低減し、更に生産コストを低減することができる。
【００５８】
また、蓋体４０内で、操作部６０と蒸気通路４６とは、間に空気層４１ａを有して区画することにより、蒸気やおねばが直接操作部６０にかかり難くすることができ、更に蒸気の熱も伝わり難くすることができる。
【００５９】
本発明は、前記実施例の構成に限定されるものではなく、発明の要旨を逸脱しない範囲において適宜設計変更可能であり、例えば、加熱手段はヒータでもよく、内鍋も金属製等、どのような材質のものでもよい。
【符号の説明】
【００６０】
２０…炊飯器                  ２１…炊飯器本体
２２…外ケース                ２３…内鍋
２４…内ケース                ２５…センターセンサ
２６…肩部材                  ２７…底部ワークコイル
２８…側部ワークコイル        ２９…コイル支持台
３０…保温ヒータ              ３１…底部材
３２…制御基板                ３３…冷却フィン
３４…冷却ファン              ３５…コード巻取器
３６…ロック機構              ３６ａ…押圧部
３６ｂ…係止部                ４０…蓋体
４１…外枠                    ４１ａ…空気層
４２…内枠                    ４３…調圧ユニット
４４…放熱板                  ４５…蓋ヒータ
４６…蒸気通路                ４７…蒸気弁
４８…蒸気口                  ４９…内蓋
５０…ヒンジ機構              ５１…バネ
５２…蓋ヒータ断熱材          ５３…アルミシート
５３ａ…空気層                ５４…凹溝部
５４ａ…底面                  ５５…ビス穴
５６…第１貫通孔              ５６ａ…大開口
５６ｂ…小開口                ５７…接続配線
５８…第１凹嵌部              ５８ａ…窪み空間
５８ｂ…第１傾斜部            ６０…操作部
６１…基板ボックス            ６１ａ…第２凹嵌部
６１ｂ…下端面                ６１ｃ…第２傾斜部
６２…ビスボス                ６３…第２貫通孔
６３ａ…大開口                ６３ｂ…小開口
６４…操作基板                ６５…支持片
６６…係合片                  ６７…液晶パネル
６８…スイッチボタン          ６８…種スイッチボタン
６９…上端溝部                ７０…操作パネル
７０ａ…透明窓                ７０ｂ…ボタン窓
７０ｃ…係合溝                ７４…シール部材
７５…中央平板部              ７６…第１段丘部分
７６ａ…幅狭部分              ７６ｂ…幅広部分
７７…第２段丘部分            ７７ａ…幅狭部分
７７ｂ…幅広部分              ７８…開口
【図１】
0005471647.tif 000002
【図２】
0005471647.tif 000003
【図３】
0005471647.tif 000004
【図４】
0005471647.tif 000005
【図５】
0005471647.tif 000006
【図６】
0005471647.tif 000007
【図７】
0005471647.tif 000008
【図８】
0005471647.tif 000009